(57)【要約】      （修正有）【課題】ケーブルを隠すことができ、パネルに装着されるソケットパネルを提供する。【解決手段】ソケットパネル１００は、窓口２０１が形成されるパネル２０と、信号転換器と、を備える。前記信号転換器が、転換板と、挿入口１０６を有し、且つ前記転換板に取り付けられる、前記転換板によって信号を転換可能な第１コネクタ及び第２コネクタと、を有する。前記第１コネクタの前記挿入口が、前記パネルの前記窓口に配置される。【選択図】図１
0003170891.tif 000002
【実用新案登録請求の範囲】
【請求項１】
窓口が形成されるパネルと、
信号転換器と、
を備え、
前記信号転換器が、転換板と、挿入口を有し、且つ前記転換板に取り付けられる、前記転換板によって信号を転換可能な第１コネクタ及び第２コネクタと、を有し、
前記第１コネクタの前記挿入口が、前記パネルの前記窓口に配置されることを特徴とするソケットパネル。
【請求項２】
前記第１コネクタと前記第２コネクタとは、それぞれＤｉｉｖａソケットコネクタ、或いはＨＤＭｉソケットコネクタ、或いはＤｉｓｐｌａｙ  Ｐｏｒｔソケットコネクタであることを特徴とする請求項１に記載のソケットパネル。
【請求項３】
前記第１コネクタ及び前記第２コネクタのうちの一方のコネクタが、Ｄｉｉｖａソケットコネクタであり、他方のコネクタがＲＪコネクタであることを特徴とする請求項１に記載のソケットパネル。
【請求項４】
前記パネルが壁に取り付けられ、前記第１コネクタが、前記パネルの前記窓口に装着され、前記第１コネクタの前記挿入口が前記壁から露出されており、前記第２コネクタが前記パネルの後方に配置されることを特徴とする請求項１に記載のソケットパネル。
【請求項５】
前記第１コネクタと前記第２コネクタとはそれぞれ、絶縁性本体と、前記絶縁性本体に固着される複数の導電端子と、を有し、
前記導電端子のそれぞれが、前記挿入口に収納される接触部と、前記絶縁性本体から延出して前記転換板に取り付けられる尾部と、を有し、
前記信号転換器が、前記第１コネクタの前記導電端子の前記尾部と前記第２コネクタの前記導電端子の前記尾部とを遮蔽する遮蔽部材を有することを特徴とする請求項１に記載のソケットパネル。
【請求項６】
前記第１コネクタと前記第２コネクタとはそれぞれ、前記絶縁性本体を遮蔽するためのハウジングを有し、
前記挿入口が前記ハウジングによって包囲され、
前記導電端子の前記尾部が、前記ハウジングの外側へ位置し、前記遮蔽部材が、前記第１コネクタの前記ハウジングと前記第２コネクタの前記ハウジングとに接続することを特徴とする請求項５に記載のソケットパネル。
【請求項７】
前記信号転換器は、前記第１コネクタ、前記第２コネクタ、前記転換板、及び前記遮蔽部材を被覆する絶縁性部材を備え、
前記絶縁性部材には挿入孔が形成され、前記パネルには固定孔が形成され、前記ソケットパネルは、前記挿入孔内に挿入されて前記固定孔と係合するピンを有することを特徴とする請求項６に記載のソケットパネル。
【請求項８】
前記絶縁性部材が、前方保持部と、後方保持部と、前記前方保持部と前記後方保持部との間に設けられ、且つ前記前方保持部より外側へ突出して前記パネルに当接可能な当接部と、を有し、
前記絶縁性本体には、耳部が設けられ、前記挿入孔が前記耳部に形成されることを特徴とする請求項７に記載のソケットパネル。
【考案の詳細な説明】
【技術分野】
【０００１】
本考案は、ソケットパネルに関し、特に、コネクタをパネルに固着するためのソケットパネルに関するものである。
【背景技術】
【０００２】
ＨＤＭＩ，ＤｉｓｐｌａｙＰｏｒｔ，Ｄｉｉｖａ（Ｄｉｇｉｔａｌ  Ｉｎｔｅｒａｃｔｉｖｅ  Ｉｎｔｅｒｆａｃｅ  ｆｏｒ  Ｖｉｄｅｏ  ＆  Ａｕｄｉｏ）のようなＤｉｇｉｔａｌポートは、消費電子部品に用いられる。これらのＤｉｇｉｔａｌポートのコネクタが、壁の外側に装着される。これらのＤｉｇｉｔａｌポートのコネクタの導電線は、壁の外表面に配置される。
【先行技術文献】
【特許文献】
【０００３】
【特許文献１】台湾特許第Ｍ３６２５４８号明細書
【考案の概要】
【考案が解決しようとする課題】
【０００４】
そこで本考案は、上述される従来技術の問題に鑑み、ケーブルを隠すことができ、パネルに装着されるソケットパネルを提供することを目的とする。
【課題を解決するための手段】
【０００５】
前記目的を達成するために、本考案のソケットパネルは、窓口が形成されるパネルと、信号転換器と、を備える。前記信号転換器が、転換板と、挿入口を有し、且つ前記転換板に取り付けられる、前記転換板によって信号を転換可能な第１コネクタ及び第２コネクタと、を有する。前記第１コネクタの前記挿入口が、前記パネルの前記窓口に配置される。
【考案の効果】
【０００６】
従来技術と比べると、本考案は以下の長所を有する。本考案の第１コネクタが、第１相手プラグと接続する。第２コネクタは、壁に隠されており、ケーブルも壁に隠されることができる。第２コネクタは、壁に隠されるケーブルを有する第２相手プラグと接続する。
【図面の簡単な説明】
【０００７】
【図１】本考案のソケットパネルの組立斜視図である。
【図２】図１に示す信号転換器の組立斜視図である。
【図３】図２に示す信号転換器の部分の分解斜視図である。
【図４】図３に示すを信号転換器の部分の分解斜視図である。
【図５】図２に示す第１、第２コネクタ及び転換板の分解斜視図である。
【考案を実施するための形態】
【０００８】
図１〜図５を参照すると、本考案のソケットパネル１００は、窓口２０１が形成されるパネル２０と、前記窓口２０１に装入される信号転換器１０と、ピン３０と、を備える。
【０００９】
図２〜図５に示すように、前記信号転換器１０は、転換板１０１と、前記転換板１０１に取り付けられる第１コネクタ１０２と、第２コネクタ１０３と、遮蔽部材１０４と、前記転換板１０１、前記第１コネクタ１０２、前記第２コネクタ１０３、及び前記遮蔽部材１０４を被覆する絶縁性部材１０５と、有する。
【００１０】
第１コネクタ１０２及び第２コネクタ１０３のコネクタはそれぞれ、Ｄｉｉｖａ（Ｄｉｇｉｔａｌ  Ｉｎｔｅｒａｃｔｉｖｅ  Ｉｎｔｅｒｆａｃｅ  ｆｏｒ  Ｖｉｄｅｏ  ＆  Ａｕｄｉｏ）ソケットコネクタ、或いはＨＤＭｉ（Ｈｉｇｈ  Ｄｅｆｉｎｉｔｉｏｎ  Ｍｕｌｔｉｍｅｄｉａ  Ｉｎｔｅｒｆａｃｅ）ソケットコネクタ、或いはＤｉｓｐｌａｙ  Ｐｏｒｔソケットコネクタである。この実施形態において、第１コネクタ１０２と第２コネクタ１０３とは、二つのＤｉｉｖａソケットコネクタである。他の実施形態において、第１コネクタ１０２及び第２コネクタ１０３のうちの一方のコネクタがＤｉｉｖａソケットコネクタであり、他方のコネクタが、ＲＪコネクタである。
【００１１】
前記第１コネクタ１０２には、パネル２０の窓口２０１に対応する挿入口１０６が形成される。第１コネクタ１０２は、絶縁性本体１と、前記絶縁性本体１に固着される複数の導電端子２と、前記絶縁性本体１に遮蔽するハウジング３と、を備える。前記絶縁性本体１は、基部１１と、前記基部１１の前端から前向きに突出する舌板１２と、を備える。
【００１２】
前記各導電端子２は、接触部２１と、尾部２３と、前記接触部２１と尾部２３との間に設けられる連接部２２と、を有する。前記導電端子２は、インサート成型によって絶縁性本体１に成型され、或いは絶縁性本体１に取り付けられる。
【００１３】
ハウジング３は、底壁３１と、前記底壁３１と対向する天壁３２と、一対の側壁３３と、を有する。前記底壁３１と天壁３２とには、複数の弾性片３５と、相手コネクタの突出部片（図示せず）と係合するための複数の開口３６とが設けられる。前記挿入口１０６は、前記壁３１〜３３によって包囲される。ハウジング３の底壁３１には、前記挿入口１０６に向かって窪んで、コネクタの誤挿入を阻止するための凹部３１０が形成される。
【００１４】
前記絶縁性部材１０５は、第１被覆部４１と、前記第１被覆部４１から分離可能な第２被覆部４２と、を備える。前記絶縁性部材１０５は、前方保持部４３と、後方保持部４４と、前記前方保持部４３と前記後方保持部４４との間に配置され、且つ前記前方保持部４３及び前記後方保持部４４から外側へ突出する当接部４５と、挿入孔４６１を含む一対の耳部４６と、を備える。
【００１５】
図１〜図５に示すように、第１コネクタ１０２を組み立てる時、先ず、複数の導電端子２が絶縁性本体１に挿入される。導電端子２の接触部２１は、舌板１２に配置され、尾部２３が前記絶縁性本体１から延出する。ハウジング３は、絶縁性本体１に装着される。導電端子２の尾部２３は、ハウジング３の外側に配置される。前記第２コネクタ１０３の構造は、第１コネクタ１０２の構造と同一である。
【００１６】
信号転換器１０を組み立てる時、第１コネクタ１０２と、第２コネクタ１０３とが、転換板１０１に装着される。前記導電端子２の尾部２３は、ＳＭＴ（Ｓｕｒｆａｃｅ  Ｍｏｕｎｔ  Ｔｅｃｈｎｏｌｏｇｙ）方法で、或いはＴＨＴ（Ｔｈｒｏｕｇｈ  Ｈｏｌｅ  Ｔｅｃｈｎｏｌｏｇｙ）方法で、転換板１０１に固着される。遮蔽部材１０４は、第１コネクタ１０２と第２コネクタ１０３とに配置され、第１コネクタ１０２及び第２コネクタ１０３の導電端子２の尾部２３を遮蔽する。導電端子２の尾部２３のＥＭＩ（Ｅｌｅｃｔｒｏ−Ｍａｇｎｅｔｉｃ  Ｉｎｔｅｒｆａｃｅ）を防止できる。前記遮蔽部材１０４は、第１コネクタ１０２のハウジング３と第２コネクタ１０３のハウジング３とに接続し、第１コネクタ１０２及び第２コネクタ１０３の静電気の発生を防止する。前記絶縁性部材１０５の第１被覆部４１と第２被覆部４２とは、転換板１０１、第１コネクタ１０２、第２コネクタ１０３、転換板１０１、及び遮蔽部材１０４を被覆する。
【００１７】
信号転換器１０がパネル２０に取り付けられる時、信号転換器１０の前方保持部４３が、パネル２０の窓口２０１に装入される。本実施形態において、信号転換器１０の前端面が、パネル２０の前端面と面一である。信号転換器１０の挿入口１０６が前記パネル２０の窓口２０１に配置される。前記絶縁性部材１０５の当接部４５が、パネル２０の後表面に当接する。ピン３０が、絶縁性部材１０５の挿入孔４６１内に挿入されて、パネル２０の固定孔２０２と係合する。信号転換器１０がパネル２０に固着する。別の実施形態において、信号転換器１０の前端面が、パネル２０の前端面から突出し、或いはパネル２０の後面に位置する。
【００１８】
第１コネクタ１０２が、第１相手プラグと接続し、第２コネクタ１０３が、壁に隠され、壁に隠されるケーブルを有する第２相手プラグと接続する。第２コネクタ１０３のケーブルが壁に隠されることができる。又、第１コネクタ１０２と第２コネクタ１０３との間には、転換板１０１によって、信号を転換することができる。
【００１９】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２０】
１００  ソケットパネル
１０  信号転換器
１０１  転換板
１０２  第１コネクタ
１０３  第２コネクタ
１０４  遮蔽部材
１０５  絶縁性部材
１０６  挿入口
１  絶縁性本体
１１  基部
１２  舌板
２０  パネル
２０１  窓口
２０２  固定孔
２  導電端子
２１  接触部
２２  連接部
２３  尾部
３０  ピン
３  ハウジング
３１  底壁
３１０  凹部
３２  頂壁
３３  側壁
３５  弾性片
３６  開口
４１  第１被覆部
４２  第２被覆部
４３  前方保持部
４４  後方保持部
４５  当接部
４６  耳部
４６１  挿入孔
【図１】
0003170891.tif 000003
【図２】
0003170891.tif 000004
【図３】
0003170891.tif 000005
【図４】
0003170891.tif 000006
【図５】
0003170891.tif 000007